(57)【要約】【課題】  受信環境が変動しても良好に受信できる受信回路を実現すること。【解決手段】  ＯＦＤＭ方式の地上波デジタルテレビの電波を受信する受信装置１において、チューナー回路１０ＡのＬＮＡ制御部１９は、ＢＰＦ１３から入力される信号Ｓ２の信号レベルが第１の基準値であるＬＮＡＨを超えた場合には、ＬＮＡ１１の利得を「最小」に切り替えさせる制御信号Ｓ４を出力し、信号Ｓ２の信号レベルが第２の基準値であるＬＮＡＬ以下の場合には、ＬＮＡ１１の利得を「最大」に切り替えさせる制御信号Ｓ４をＬＮＡ１１に出力する。但し、ＬＮＡＨ＞ＬＮＡＬ、である。【選択図】図１
2006270582.tif 000002
【特許請求の範囲】
【請求項１】
受信した直交変調信号を増幅する増幅度可変可能な増幅手段と、
この増幅手段によって増幅された直交変調信号の信号レベルを所定の信号レベルとするように増幅又は減衰させる可変利得制御手段と、
この可変利得制御手段によって出力された直交変調信号の信号レベルに基づいて当該可変利得制御手段による増幅又は減衰を制御するとともに、前記増幅手段における増幅度を可変制御する制御手段と、
を備え、
前記制御手段は、
予め定められた第１の比較値とこの第１の比較値より小さい第２の比較値とを記憶する記憶手段と、
前記可変利得制御手段から出力された直交変調信号を積分する積分手段と、
この積分手段から出力された信号に基づいて前記可変利得制御手段における増幅又は減衰を制御するための制御信号を生成する制御信号生成手段と、
前記記憶手段に記憶された第１、第２の比較値それぞれと前記積分手段によって積分された直交変調信号の信号レベルとを比較する比較手段と、
を有し、
この比較手段によって比較した結果、前記積分された直交変調信号の信号レベルが前記第１の比較値を超えた場合に前記増幅手段の増幅度が最小となるように前記増幅手段を制御し、前記積分された直交変調信号の信号レベルが前記第２の比較値以下の場合に前記増幅手段の増幅度が最大となるように前記増幅手段を制御することを特徴とする受信回路。
【請求項２】
受信した直交変調信号を増幅する増幅度可変可能な増幅手段と、この増幅手段によって増幅された直交変調信号の信号レベルを所定の信号レベルとするように増幅又は減衰させる可変利得制御手段とを有し、この可変利得制御手段から出力された直交変調信号を中間周波信号に変換して出力するチューナー回路と、
前記増幅手段における増幅度を可変制御する制御手段と、
を備え、
前記制御手段は、
予め定められた第１の比較値とこの第１の比較値より小さい第２の比較値とを記憶する記憶手段と、
前記チューナー回路から出力された中間周波信号を積分する積分手段と、
前記記憶手段に記憶された第１、第２の比較値それぞれと前記積分手段によって積分された中間周波信号の信号レベルとを比較する比較手段と、
を有し、
この比較手段によって比較した結果、前記積分された中間周波信号の信号レベルが前記第１の比較値を超えた場合に前記増幅手段の増幅度が最小となるように前記増幅手段を制御し、前記積分された中間周波信号の信号レベルが前記第２の比較値以下の場合に前記増幅手段の増幅度が最大となるように前記増幅手段を制御することを特徴とする受信回路。
【発明の詳細な説明】
【技術分野】
【０００１】
本発明は、直交変調信号の受信回路に関する。
【背景技術】
【０００２】
現在、デジタルテレビ放送では、ＢＳ（Broadcasting Satellite）を用いたＢＳデジタル放送や、ＣＳ（Communication Satellite）を用いたＣＳデジタル放送が普及しつつある。また、地上波デジタルテレビ放送が２００３年１２月より開始され、地上波アナログテレビ放送から地上波デジタルテレビ放送への移行段階にある。地上波デジタルテレビ放送では、変調方式としてＯＦＤＭ（Orthogonal Frequency Division Multiplexing：直交周波数分割多重化方式）方式が用いられているため、複数の電波（具体的には、映像や音声、データ放送等）が多重化して送信されている。
【０００３】
このデジタル放送の電波を受信する電波受信装置では、先ず、前段のチューナー回路において、アンテナで受信した受信信号がＬＮＡで増幅され、次いでＡＧＣで増幅又は減衰された後、所望の放送周波数の信号に変換され、後段の復調回路に入力される。
【０００４】
ところで、移動体の電波受信装置で受信する場合、場所によって電波強度が大きく異なるために受信信号のレベルが変動し易い。受信信号のレベルが大きくなり過ぎると、ＡＧＣで利得（ゲイン）を制御しきれずに波形が歪んでしまう。一方、受信信号のレベルが小さくなり過ぎると、ＡＧＣでの増幅が足りず受信性能が低下してしまっていた。従来の受信装置ではＬＮＡの増幅度が固定であったため、受信環境の変動による受信性能の劣化が問題となっていた。
【０００５】
尚、アンテナで受信したＲＦ信号（受信信号）を低雑音増幅器（ＬＮＡ）で増幅し、増幅後の信号を局部発振信号と乗算することにより直接ベースバンド信号に変換するダイレクトコンバージョン方式の無線受信機において、変換後のベースバンド信号を整形・増幅した信号の電界強度を検出し、この信号強度が所定の閾値を超えたか否かにより、ＬＮＡの利得を高利得／低利得の２段階に切り替える技術が知られている。かかる受信機では、利得切り替え閾値付近での切り替えタイミングを制御し、頻繁な利得切り替えが発生しないように構成されている（例えば、特許文献１参照）。
【特許文献１】特開２００３−１９８４０５号公報
【発明の開示】
【発明が解決しようとする課題】
【０００６】
しかしながら特許文献１に開示されている技術の場合、低雑音増幅器（ＬＮＡ）と可変利得増幅器（ＶＧＡ）の利得切替えを利得制御部から出力される一つの信号で制御しているので、低雑音増幅器（ＬＮＡ）、可変利得増幅器（ＶＧＡ）夫々の利得制御を正確に行うことが難しいという問題があった。また、上述したように、移動体の電波受信装置では、受信環境の変動によって受信信号の信号レベルが変動し易いため、良好な受信を保持することが困難であった。このような事情に鑑み、本発明は、受信環境が変動しても良好に受信できる受信回路を実現することを目的としている。
【課題を解決するための手段】
【０００７】
上記課題を解決するために、請求項１に記載の発明は、
受信した直交変調信号を増幅する増幅度可変可能な増幅手段（例えば、図１のＬＮＡ１１）と、
この増幅手段によって増幅された直交変調信号の信号レベルを所定の信号レベルとするように増幅又は減衰させる可変利得制御手段（例えば、図１のＲＦＡＧＣ１２）と、
この可変利得制御手段によって出力された直交変調信号の信号レベルに基づいて当該可変利得制御手段による増幅又は減衰を制御するとともに、前記増幅手段における増幅度を可変制御する制御手段（例えば、図１，２のＬＮＡ制御部１９）と、
を備え、
前記制御手段は、
予め定められた第１の比較値とこの第１の比較値より小さい第２の比較値とを記憶する記憶手段（例えば、図２のメモリ１９３）と、
前記可変利得制御手段から出力された直交変調信号を積分する積分手段（例えば、図２の積分器１９１）と、
この積分手段から出力された信号に基づいて前記可変利得制御手段における増幅又は減衰を制御するための制御信号を生成する制御信号生成手（例えば、図１のＲＦＡＧＣ１２）段と、
前記記憶手段に記憶された第１、第２の比較値それぞれと前記積分手段によって積分された直交変調信号の信号レベルとを比較する比較手段（例えば、図１の比較器１９４）と、
を有し、
この比較手段によって比較した結果、前記積分された直交変調信号の信号レベルが前記第１の比較値を超えた場合に前記増幅手段の増幅度が最小となるように前記増幅手段を制御し、前記積分された直交変調信号の信号レベルが前記第２の比較値以下の場合に前記増幅手段の増幅度が最大となるように前記増幅手段を制御することを特徴とする受信回路（例えば、図１の受信装置１）である。
【０００８】
また、請求項２に記載の発明は、
受信した直交変調信号を増幅する増幅度可変可能な増幅手段と、この増幅手段によって増幅された直交変調信号の信号レベルを所定の信号レベルとするように増幅又は減衰させる可変利得制御手段とを有し、この可変利得制御手段から出力された直交変調信号を中間周波信号に変換して出力するチューナー回路（例えば、図５のチューナー部１０Ｂ）と、
前記増幅手段における増幅度を可変制御する制御手段（例えば、図５，６のＬＮＡ制御部３７）と、
を備え、
前記制御手段は、
予め定められた第１の比較値とこの第１の比較値より小さい第２の比較値とを記憶する記憶手段（例えば、図６のメモリ３７２）と、
前記チューナー回路から出力された中間周波信号を積分する積分手段（例えば、図６の積分器３７１）と、
前記記憶手段に記憶された第１、第２の比較値それぞれと前記積分手段によって積分された中間周波信号の信号レベルとを比較する比較手段（例えば、図６の比較器３７３）と、
を有し、
この比較手段によって比較した結果、前記積分された中間周波信号の信号レベルが前記第１の比較値を超えた場合に前記増幅手段の増幅度が最小となるように前記増幅手段を制御し、前記積分された中間周波信号の信号レベルが前記第２の比較値以下の場合に前記増幅手段の増幅度が最大となるように前記増幅手段を制御することを特徴とする受信回路（例えば、図５の受信装置２）である。
【発明の効果】
【０００９】
請求項１に記載の発明によれば、増幅手段により増幅され、所定の信号レベルとするように増幅又は減衰された直交変調信号を積分した信号の信号レベルと、予め定められた第１、第２の基準値それぞれとが比較され、この比較の結果、直交変調信号を積分した信号の信号レベルが第１の比較値を超えた場合に増幅手段の増幅度が最小になるように制御され、第２の比較値以下の場合に増幅手段の増幅度が最大になるように制御される。即ち、受信した直交変調信号の信号レベルに応じて増幅手段の増幅度を切り替えることにより、増幅手段の利得を固定とした場合と比較して、良好に受信できる受信信号のレベル範囲を広げることができる。この結果、受信環境の変動により受信信号のレベルがより大きく変動した場合であっても、良好な受信の実現が可能となる。
【００１０】
請求項２に記載の発明によれば、チューナー回路から出力された中間周波信号を積分した信号の信号レベルと、予め定められた第１、第２の基準値それぞれとが比較され、この比較の結果、中間周波信号を積分した信号の信号レベルが第１の比較値を超えた場合に、チューナー回路における増幅手段の増幅度が最小になるように制御され、第２の比較値以下の場合に、チューナー回路における増幅手段の増幅度が最大になるように制御される。即ち、受信した直交変調信号の信号レベルに応じて増幅手段の増幅度を切り替えることにより、増幅手段の利得を固定とした場合と比較して、良好に受信できる受信信号のレベル範囲を広げることができる。この結果、受信環境の変動により受信信号のレベルがより大きく変動した場合であっても、良好な受信の実現が可能となる。
【発明を実施するための最良の形態】
【００１１】
以下、図面を参照して本発明に好適な実施形態を説明する。尚、以下では、本発明を、ＯＦＤＭ方式の地上波デジタルテレビ放送の電波を受信する受信装置に適用した場合を説明するが、本発明の適用可能な実施形態がこれに限定されるものではない。
【００１２】
〔第１実施形態〕
先ず、第１実施形態を説明する。
【００１３】
［受信装置］
図１は、第１実施形態における、ＯＦＤＭ方式の地上波デジタルテレビ放送の電波を受信する受信装置１のブロック構成図である。同図によれば、受信装置１は、電波を受信するアンテナＡＮＴと、アンテナＡＮＴで受信された受信信号を増幅し所望の放送波周波数への同調を行うチューナー部１０Ａと、チューナー部１０Ａから出力された信号を復調してＴＳ（Transport Stream）を抽出する復調回路部３０Ａとを備えて構成される。
【００１４】
［チューナー部］
チューナー部１０Ａは、ＬＮＡ（Low Noise Amplifier：低雑音増幅器）１１と、ＲＦＡＧＣ（Radio Frequency-Auto Gain Control）１２と、ＢＰＦ（Band Pass Filter：帯域通過フィルタ）１３，１５と、ＲＦミキサ１４と、ＩＦＡＧＣ（Intermediate Frequency-Auto Gain Control）１６と、ＩＦミキサ１７と、ＬＰＦ（Low Pass Filter；低域通過フィルタ）１８と、ＬＮＡ制御部１９とを備えている。
【００１５】
ＬＮＡ１１は、アンテナＡＮＴで受信された受信信号を増幅又は減衰して出力する。このＬＮＡ１１の利得（ゲイン）はＬＮＡ制御部１９によって制御されており、ＬＮＡ制御部１９から入力される制御信号Ｓ４に従って、利得が「最大」又は「最小」に切り替えられる。
【００１６】
ＲＦＡＧＣ１２は、ＬＮＡ１１から入力された信号を、ＬＮＡ制御部１９から入力される制御信号Ｓ３に従った増幅度で増幅又は減衰して出力する。ＢＰＦ１３は、ＲＦＡＧＣ１２から入力された信号から所定の周波数帯域の信号を抽出し、信号Ｓ２として出力する。ＲＦミキサ１４は、ＢＰＦ１３から入力された信号を中間周波信号に変換して出力する。
【００１７】
ＢＰＦ１５は、ＲＦミキサ１４から入力された中間周波信号から所定の周波数帯域の信号を抽出して出力する。ＩＦＡＧＣ１６は、ＢＰＦ１５から入力された信号を、ＩＦＡＧＣ制御部３６から入力される制御信号に従って増幅又は減衰して出力する、ＩＦミキサ１７は、ＩＦＡＧＣ１６から入力される信号を低域周波数の信号に変換して出力する。ＬＰＦ１８は、ＩＦミキサ１７から入力された信号をフィルタリングして出力する。
【００１８】
ＬＮＡ制御部１９は、ＢＰＦ１３から入力される信号Ｓ２と、ＣＰＵ２０から入力される制御信号Ｓ５，Ｓ６とに基づき、ＲＦＡＧＣ１２の増幅度を制御するための制御信号Ｓ３、及び、ＬＮＡ１１の利得を制御するための制御信号Ｓ４を生成して出力する。
【００１９】
［ＬＮＡ制御部］
図２は、ＬＮＡ制御部１９の回路構成を示すブロック図である。同図によれば、ＬＮＡ制御部１９は、積分器１９１と、ＲＦＡＧＣ制御部１９２と、メモリ１９３と、比較器１９４とを備えている。
【００２０】
積分器１９１は、ＢＰＦ１３から入力された信号Ｓ２を積分し、信号Ｓ２１として出力する。ＲＦＡＧＣ制御部１９２は、積分器１９１から入力された信号Ｓ２１に基づいて、ＲＦＡＧＣ１２の増幅度を制御するための制御信号Ｓ３を生成して出力する。
【００２１】
メモリ１９３は、第１の基準値であるＬＮＡＨの値と、このＬＮＡＨの値より小さい第２の基準値であるＬＮＡＬの値とを記憶している。また、このＬＮＡＨ及びＬＮＡＬの値は、それぞれ、不図示のＣＰＵから入力される制御信号Ｓ５，Ｓ６によって変更可能となっている。
【００２２】
比較器１９４は、積分器１９１から入力された信号Ｓ２１の信号レベルを、メモリ１９３に記憶されているＬＮＡＨ、ＬＮＡＬそれぞれの値と比較し、その比較結果に応じて、ＬＮＡ１１の利得を制御するための制御信号Ｓ４を生成して出力する。具体的には、信号Ｓ２１の信号レベルがＬＮＡＬの値より小さい場合は、ＬＮＡ１１の利得を「最大」に切り替えさせる制御信号Ｓ４を生成し、信号Ｓ２１の信号レベルがＬＮＡＨの値より大きい場合には、ＬＮＡ１１の利得を「最小」に切り替えさせる制御信号Ｓ４を生成する。
【００２３】
図３は、ＬＮＡ制御部１９の回路動作を説明するためのフローチャートであり、ＬＮＡ１１の利得を制御するための制御信号Ｓ４の生成にかかる動作を示している。同図によれば、ＬＮＡ制御部１９において、先ず、積分器１９１が、入力された信号Ｓ２を積分し、信号Ｓ２１として出力する（ステップＴ１）。
【００２４】
次いで、比較器１９４が、入力された信号Ｓ２１の信号レベルとＬＮＡＬの値とを比較し、信号Ｓ２１の信号レベルがＬＮＡＬの値より小さいならば（ステップＴ３：ＹＥＳ）、ＬＮＡ１１のゲインを「最大」に切り替えさせる制御信号Ｓ４を生成して出力する（ステップＴ５）。また、比較器１９４は、入力された信号Ｓ２１の信号レベルとＬＮＡＨの値とを比較し、信号Ｓ２１の信号レベルがＬＮＡＨの値より大きいならば（ステップＴ７：ＹＥＳ）、ＬＮＡ１１のゲインを「最小」に切り替えさせる制御信号Ｓ４を生成して出力する（ステップＴ９）。
【００２５】
そして、電波の受信が終了していないならば（ステップＴ１１：ＮＯ）、ステップＴ１に戻って同様の処理を繰り返し、電波の受信を終了したならば（ステップＴ１１：ＹＥＳ）、本動作は終了となる。
【００２６】
図４は、ＬＮＡＨ、ＬＮＡＬの具体的な設定を説明するための図である。同図において、横軸は、アンテナＡＮＴで受信した受信信号の信号レベルであり、縦軸は、積分器１９１から出力される信号Ｓ２１の信号レベルである。そして、ＬＮＡ１１における利得が「最大」及び「最小」それぞれの場合での信号特性を示している。
【００２７】
同図に示すように、ＬＮＡ１１の利得が「最大」及び「最小」の何れの場合も、信号Ｓ２１の信号レベルが一定レベルに制御される受信信号の信号レベルの範囲が存在する。そして、この範囲外では、受信信号の信号レベルの上昇又は低下に応じて信号Ｓ２１の信号レベルが上昇又は低下する。また、少なくともこの信号Ｓ２１の信号レベルが一定レベルとなる範囲内においては、ＲＦＡＧＣ１２やＩＦＡＧＣ１６における信号の増幅又は減衰の制御によって、受信性能が適切な状態に保たれている。
【００２８】
そこで、ＬＮＡ１１の利得が「最大」の場合に制御される信号Ｓ２１の一定信号レベルより少し高いレベルをＬＮＡＨとする。また、ＬＮＡ１１の利得が「最小」の場合に制御される信号Ｓ２１の一定信号レベルより少し低いレベルをＬＮＡＬとする。
【００２９】
すると、ＬＮＡ１１の利得が「最大」である場合、受信信号の信号レベルが中程度或いはそれ以下であって信号Ｓ２１の信号レベルがＬＮＡＨ以下である間は、現在の利得「最大」がそのまま継続されるが、受信信号の信号レベルが上昇して信号Ｓ２１の信号レベルがＬＮＡＨを超えると、ＬＮＡ１１の利得が「最小」に切り替えられ、信号Ｓ２１の信号レベルが下げられる。この結果、良好な受信性能が得られる受信信号の信号レベルの範囲が拡大され、受信信号の信号レベルが更に上昇した場合でも受信性能が劣化することがない。
【００３０】
また、ＬＮＡ１１の利得が「最小」である場合には、受信信号の信号レベルが中程度或いはそれ以上であって信号Ｓ２１の信号レベルがＬＮＡＬ以上である間は、現在の利得「最小」がそのまま継続されるが、受信信号の信号レベルが低下して信号Ｓ２１の信号レベルがＬＮＡＬを下回ると、ＬＮＡ１１の利得が「最大」に切り替えられ、信号Ｓ２１のレベルが上げられる。この結果、良好な受信性能が得られる受信信号の信号レベルの範囲が拡大され、受信信号の信号レベルが更に低下した場合でも受信性能が劣化することがない。
【００３１】
このように信号Ｓ２１の信号レベルに応じてＬＮＡ１１の利得を切り替えることで、ＬＮＡ１１の利得を固定した場合と比較して、適切な受信性能を維持できる受信信号の信号レベル範囲を広げることができる。つまり、ＬＮＡＨを、良好な受信性能が得られるときの信号Ｓ２１の信号レベルの上限とし、ＬＮＡＬを下限とすると、良好な受信性能を維持できる受信信号のレベル範囲は、利得が「最大」で固定の場合には、信号Ｓ２１の信号レベルがＬＮＡＬとなるレベルＶ１から、信号Ｓ２１の信号レベルがＬＮＡＨとなるレベルＶ３までのレベル範囲である。また、利得が「最小」で固定の場合には、信号Ｓ２１の信号レベルがＬＮＡＬとなるレベルＶ２から、信号Ｓ２１の信号レベルがＬＮＡＨとなるレベルＶ４までの範囲である。但し、Ｖ１＜Ｖ２＜Ｖ３＜Ｖ４、である。これに対して、信号Ｓ２１の信号レベルに応じてＬＮＡ１１の利得を切り替えることで、良好な受信性能が得られる受信信号の信号レベルの範囲を、レベルＶ１からレベルＶ４までのレベル範囲とすることができる。
【００３２】
［復調回路部］
図１において、復調回路部３０Ａは、ＡＤＣ（Analog to Digital Converter：アナログ・デジタル変換器）３１と、ＦＦＴ（Fast Fourier Transform：高速フーリエ変換）３２と、伝送路等価部３３と、復調部３４と、誤り訂正部３５と、ＩＦＡＧＣ制御部３６とを備えている。
【００３３】
ＡＤＣ３１は、チューナー部１０Ａから入力されたアナログ信号である放送波信号をデジタル信号に変換して出力する。ＦＦＴ３２は、ＡＤＣ３１から入力された信号に対してＦＦＴ演算を行い、周波数領域の信号に変換して出力する。伝送路等価部３３は、ＦＦＴ３２から入力された周波数領域の信号に対して波形等価（振幅等価及び位相等価）処理を行う。
【００３４】
復調部３４は、伝送路等価部３３から入力された周波数領域の信号に対する復調処理を行ってデータを復調する。誤り訂正部３５は、復調部３４から入力された復調されたデータ信号に対して誤り訂正処理を行い、誤り訂正後の信号をＴＳとして出力する。ＩＦＡＧＣ制御部３６は、ＡＤＣ３１から入力される信号に基づいて、ＩＦＡＧＣ１６の増幅度を制御するための制御信号を生成して出力する。
【００３５】
［作用・効果］
以上、第１実施形態によれば、ＬＮＡ制御部１９において、ＢＰＦ１３から出力される信号Ｓ２を積分した信号Ｓ２１の信号レベルに応じてＬＮＡ１１の利得が「最大」又は「最小」に切り替えられる。このため、ＬＮＡ１１の利得を固定した場合と比較して、良好な受信性能を維持できる受信信号の信号レベル範囲を広げることができ、その結果、受信環境の変動により受信信号のレベルがより変動した場合であっても、問題なく受信することができるようになる。
【００３６】
〔第２実施形態〕
次に、第２実施形態を説明する。第２実施形態において、上述した第１実施形態と同一要素については同符号を付し、詳細な説明を省略する。
【００３７】
［受信装置］
図５は、第２実施形態における、ＯＦＤＭ方式の地上波デジタルテレビ放送の電波を受信する受信装置２のブロック構成図である。同図によれば、受信装置２は、アンテナＡＮＴと、チューナー部１０Ｂと、復調回路部３０Ｂとを備えて構成される。
【００３８】
チューナー部１０Ｂは、ＬＮＡ１１と、ＲＦＡＧＣ１２と、ＢＰＦ１３，１５と、ＲＦミキサ１４と、ＩＦＡＧＣ１６と、ＩＦミキサ１７と、ＬＰＦ１８と、ＲＦＡＧＣ制御部２１とを備えて構成される。
【００３９】
ＲＦＡＧＣ制御部２１は、ＢＰＦ１３から入力される信号に基づいて、ＲＦＡＧＣ１２の増幅度を制御するための制御信号を生成して出力する。
【００４０】
また、復調回路部３０Ｂは、ＡＤＣ３１と、ＦＦＴ３２と、伝送路等価部３３と、復調部３４と、誤り訂正部３５と、ＩＦＡＧＣ制御部３６と、ＬＮＡ制御部３７とを備えて構成される。
【００４１】
ＬＮＡ制御部３７は、ＡＤＣ３１から入力される信号Ｓ１に基づいて、ＬＮＡ１１の利得を制御するための制御信号Ｓ７を生成して出力する。
【００４２】
図６に、ＬＮＡ制御部３７の回路構成を示す。同図によれば、ＬＮＡ制御部３７は、積分器３７１と、メモリ３７２と、比較器３７３とを備えている。
【００４３】
積分器３７１は、ＡＤＣ３１から入力された信号Ｓ１を積分し、信号Ｓ１１として出力する。メモリ３７２は、第１の基準値であるＬＮＡＨの値と、第２の基準値であるＬＮＡＬの値とを記憶している。このＬＮＡＨ及びＬＮＡＬの値は、上述した第１実施形態と同様に、ＬＮＡ１１の利得が「最大」及び「最小」それぞれの場合の、受信信号の信号レベルと積分器３７１から出力される信号Ｓ１１との間の信号特性に応じて決定される。
【００４４】
比較器３７３は、積分器３７１から入力された信号Ｓ１１を、メモリ３７２に格納されているＬＮＡＨ及びＬＮＡＬそれぞれと比較し、比較結果に応じて、ＬＮＡ１１を制御する制御信号Ｓ７を生成して出力する。具体的には、信号Ｓ１１の信号レベルがＬＮＡＬの値より小さい場合は、ＬＮＡ１１の利得を「最大」に切り替えさせる制御信号Ｓ７を生成し、信号Ｓ１１の信号レベルがＬＮＡＨの値より大きい場合には、ＬＮＡ１１の利得を「最小」に切り替えさせる制御信号Ｓ７を生成する。
【００４５】
［作用・効果］
以上、第２実施形態によれば、ＬＮＡ制御部３７において、復調回路部３０ＢのＡＤＣ３１から出力された信号Ｓ１を積分した信号Ｓ１１の信号レベルに応じてＬＮＡ１１の利得が「最大」又は「最小」に切り替えられる。その結果、第１実施形態と同様に、ＬＮＡ１１の利得を固定した場合と比較して、良好な受信性能を維持できる受信信号の信号レベル範囲を広げることができる。この結果、受信環境の変動により受信信号のレベルが尚一層大きく変動した場合であっても、問題なく受信できるようになる。
【００４６】
〔変形例〕
尚、本発明の適用可能な実施形態は上述した２つの実施形態に限定されることなく、本発明の趣旨を逸脱しない範囲で適宜変更可能なのは勿論である。
【図面の簡単な説明】
【００４７】
【図１】第１実施形態における受信装置のブロック構成図。
【図２】第１実施形態におけるＬＮＡ制御部のブロック構成図。
【図３】第１実施形態におけるＬＮＡ制御部の回路動作の説明図。
【図４】第１実施形態におけるＬＮＡＨ，ＬＮＡＬの設定の説明図。
【図５】第２実施形態における受信装置のブロック構成図。
【図６】第２実施形態におけるＬＮＡ制御部のブロック構成図。
【符号の説明】
【００４８】
１，２  受信装置
ＡＮＴ  アンテナ
１０Ａ，１０Ｂ  チューナー部
１１  ＬＮＡ
１２  ＲＦ−ＡＧＣ
１３，１５  ＢＰＦ
１４  ＲＦミキサ
１６  ＩＦ−ＡＧＣ
１７  ＩＦミキサ
１８  ＬＰＦ
１９  ＬＮＡ制御部
１９１  積分器
１９２  ＲＦＡＧＣ制御部
１９３  メモリ
１９４  比較器
２１  ＲＦＡＧＣ制御部
３０Ａ，３０Ｂ  復調回路部
３１  ＡＤＣ
３２  ＦＦＴ
３３  伝送路等価部
３４  復調部
３５  誤り訂正部
３６  ＩＦＡＧＣ制御部
３７  ＬＮＡ制御部
３７１  積分器
３７２  メモリ
３７３  比較器
【図１】
2006270582.tif 000003
【図２】
2006270582.tif 000004
【図３】
2006270582.tif 000005
【図４】
2006270582.tif 000006
【図５】
2006270582.tif 000007
【図６】
2006270582.tif 000008